(57)【特許請求の範囲】
【請求項１】
制御素子を脱着可能に載置する制御基板と、この制御基板を収容して封印されるケースと、上記制御基板上における上記制御素子の脱着を防止するため、上記制御素子を載置するソケットの周縁を上方に向けて筒状に延設した囲み壁からなる脱着防止機構とを具備することを特徴とする制御基板ボックス。
【請求項２】
制御素子を脱着可能に載置する制御基板と、この制御基板を収容して封印されるケースと、上記制御基板上における上記制御素子の脱着を防止するため、上記ケースにおける上記制御素子の載置面側の天井面から同制御素子の上面に向けて当接するように延設した凸部からなる脱着防止機構とを具備することを特徴とする制御基板ボックス。
【請求項３】
制御素子を脱着可能に載置する制御基板と、この制御基板を収容して封印されるケースと、上記制御基板上における上記制御素子の脱着を防止するため、同制御基板と同制御素子とを巻き込むバンドからなる脱着防止機構とを具備することを特徴とする制御基板ボックス。
【発明の詳細な説明】
【０００１】
【発明の属する技術分野】
本発明は、制御基板を収容して封印される制御基板ボックスに関し、特に、ＲＯＭなどのような制御素子を収容する制御基板ボックスに関する。
【０００２】
【従来の技術】
従来、パチンコ機などにおけるこの種の制御基板ボックスとして、図１０に示すものが知られている。
浅皿状の一対の金属製上ケース１と金属製下ケース２は互いに開口面を対面せしめて一体の箱形ケース３を形成可能であり、組み合わせた状態で側面に封印紙４を貼り合わせることにより封印可能となっている。また、ケース３内部にはパチンコ機などの制御基板５を収容可能であり、同制御基板５上にはソケット６を介してＲＯＭ７を載置できるようにしてある。このＲＯＭ７はパチンコ機の制御プログラムやテーブルなどが記録されている。一方、ケース３には放熱孔３ａや制御基板５から導出されるケーブル５ａを引き出すための開口３ｂが形成されている。
【０００３】
かかる構成において、制御基板５上にＲＯＭ７を載置し、ケーブル５ａが開口３ｂを通過するようにして当該制御基板５を金属製上ケース１と金属製下ケース２の間に挟み込んで収容する。収容後、図示しないネジでネジ止めし、最後に封印紙を貼付する。
【０００４】
【発明が解決しようとする課題】
上述した従来の制御基板ボックスにおいては、ケース３自体は封印紙４で開けないようにしている。しかし、隙間をこじ開けたり、開口３ｂを利用してＲＯＭ７だけを取り出し、新たに書き換えたＲＯＭ７を装着して不正を行なうことがあるという課題があった。
【０００５】
本発明は、上記課題にかんがみてなされたもので、不正にＲＯＭを交換できないようにすることが可能な制御基板ボックスの提供を目的とする。
【０００６】
【課題を解決するための手段】
上記目的を達成するため、その前提として、制御素子を脱着可能に載置する制御基板と、この制御基板を収容して封印されるケースと、上記制御基板上における上記制御素子の脱着を防止する脱着防止機構とを備えた構成とすることが考えられる。
【０００７】
かかる態様によれば、制御基板上に制御素子を脱着可能に載置させた後、ケースに同制御基板を収容し、収容後に封印する。封印後は、封印を破ることなくケースを開いたり隙間を広げたりして制御素子を取り出そうとしても、脱着防止機構が制御基板上における上記制御素子の脱着を防止する。ここにおいて、ケースは制御基板を収容して封印可能であれば良く、本体と蓋体とからなるものであったり、一対の浅皿状ケースを合体させるものであったり、あるいは蓋のようなものがない有底筒状のケースで開口から制御基板を収容した後、同開口を封印紙で塞ぐようなものであるなど、その構造などについては適宜変更可能である。
【０００８】
制御基板は、いわゆるＲＯＭなどのような制御素子を脱着可能に載置するものであればよく、一般的なプリント基板であっても良いし、制御素子を外周面に装着するような電気機器自体であっても広義の意味での制御基板に該当する。すなわち、制御素子が装着されるものはプリント基板ような板状体に限られるものではない。むろん、狭義のＲＯＭに限定される必要はなく、制御プログラムなどを記憶する他の素子であっても構わないし、ＲＯＭを内蔵したＣＰＵなどの演算素子であっても良い。また、場合によっては制御プログラムのパラメータを変更させるためのジャンパスイッチなどであっても良い。また、脱着可能に載置する構成についても、通常の差込型のソケットのものであったり、面接触で接続させるようなものであるなど、適宜変形可能である。
【０００９】
脱着防止機構は、かかる封印後に上記制御素子の脱着を防止することができればよい。この場合、単独の機構によって制御素子の脱着を防止するものであっても良いし、ケースや制御基板の一部であったり、あるいはケースや制御基板と共同して脱着を防止するものであっても良い。ここにおいて、制御素子の取り外し、あるいは取り付けの一方だけを防止できるものであっても良い。また、制御素子を固定して直接的に脱着を防止するものであっても良いし、制御素子の周囲を覆うことにより、取り外すために接触することを防止するものであっても構わない。
上記に鑑みて、本発明の請求項１においては、制御素子を脱着可能に載置する制御基板と、この制御基板を収容して封印されるケースと、上記制御基板上における上記制御素子の脱着を防止するため、上記制御素子を載置するソケットの周縁を上方に向けて筒状に延設した囲み壁からなる脱着防止機構とを具備する構成としてある。
また、請求項２においては、制御素子を脱着可能に載置する制御基板と、この制御基板を収容して封印されるケースと、上記制御基板上における上記制御素子の脱着を防止するため、上記ケースにおける上記制御素子の載置面側の天井面から同制御素子の上面に向けて当接するように延設した凸部からなる脱着防止機構とを具備する構成としてある。
また、請求項３においては、制御素子を脱着可能に載置する制御基板と、この制御基板を収容して封印されるケースと、上記制御基板上における上記制御素子の脱着を防止するため、同制御基板と同制御素子とを巻き込むバンドからなる脱着防止機構とを具備する構成としてある。
【００１０】
【発明の効果】
以上説明したように本発明は、ケースの封印とは別個に制御素子の脱着を防止するようにしたので、封印を破ることなく制御素子を取り替えるなどの不正を効果的に防止することが可能な制御基板ボックスを提供することができる。
【００１１】
【発明の実施の形態】
以下、図面にもとづいて本発明の実施形態を説明する。
図１は、本発明の一実施形態にかかる制御基板ボックスを斜視図により示している。
【００１２】
同図において、制御基板となるプリント基板１０は表面に各種の電子素子を配置され、外部機器と接続されるケーブル１１の一端も接続されている。このプリント基板１０上にはパチンコ機などの遊技機を制御するためのＣＰＵなども載置されており、このＣＰＵが実行する制御プログラムはＲＯＭ１２に書き込まれ、このＲＯＭ１２自体はソケット１３を介して当該プリント基板１０上に装着されている。ソケット１３を介して接続されているため、同ＲＯＭ１２は必要に応じて脱着可能であり、外部機器のチェック時、モデルチェンジの場合、あるいは法改正の場合などには適宜ＲＯＭ１２を交換可能となっている。ソケット１３はＲＯＭ１２を上方から強く押し込むだけの構成となっているが、レバーなどを操作して脱着を容易にするようなものとすることもできる。また、ＲＯＭ１２には制御プログラムの他、乱数テーブルや変換テーブルの制御データも記録されている。すなわち、本実施形態においては、このＲＯＭ１２が制御素子を構成し、プリント基板１０が制御基板を構成している。
【００１３】
ケース２０は浅皿状の一対の金属製上ケース２１と金属製下ケース２２とから構成されており、互いに開口面を対面せしめて合体して一体の箱形ケースを形成している。両ケース２１，２２の長手方向の一側面には凹み２３ａ，２３ｂ部分を形成してあり、互いに隣接して内外を連通せしめる長開口２３を形成している。この長開口２３を介して上記ケーブル１１が外部に導出される。
また、金属製下ケース２２における短手方向の一側面には開口端から切り欠き２２ａを形成してあるとともに、金属製上ケース２１にはこの切り欠き２２ａに対応して突出する凸部２１ａを形成してあり、互いに両ケース２１，２２を合体させたときに凸部２１ａが切り欠き２２ａに入り込んで側面を形成する。このようにして金属製上ケース２１の側から突き出る凸部２１ａが金属製下ケース２２の側に形成した切り欠き２２ａ内に入り込んで側面を形成することにより、封印紙２４はその長手方向について凸部２１ａと交差すれば良くなる。これに対し、金属製上ケース２１と金属製下ケース２２における他の合わせに貼付する場合には封印紙２４における短手方向にて交差しなければならず、作業に慎重を要するようになって能率が低下してしまう。
【００１４】
プリント基板１０は、これらの一対の金属製上ケース２１と金属製下ケース２２とで挟むようにして内部に収容されるが、このとき、プリント基板１０の上面と金属製上ケース２１の内周面との間の長さに一致するとともに、上記ソケット１３を囲い込む内径とした矩形筒状の枠体４０を同ソケット１３の上方から装着している。
枠体４０を装着しつつ金属製上ケース２１と金属製下ケース２２との内部にプリント基板１０を収容した状態を図２に示している。同図に示すように、ソケット１３の周囲に装着されるため、ＲＯＭ１２は四方を枠体４０に囲まれつつ、下面はソケット１３、上面は金属製上ケース２１の天井面に囲まれる。従って、上述した長開口２３から金具などを挿入してソケット１３とＲＯＭ１２との間に差し込もうとしても枠体４０に阻まれて差し込めない。むろん、下面のソケット１３の側から取り外すことはできないし、上面の金属製上ケース２１を開くこともできない。この結果、ケース２０が封印されたままＲＯＭ１２を脱着することは防止される。すなわち、本実施形態においては、この枠体４０が脱着防止機構を構成している。
【００１５】
枠体４０はＲＯＭ１２の四方を取り囲んで脱着を阻止できるようなものであれば良く、例えば金網やネットのようなもので取り囲んでも良い。また、取り囲む制御素子が発熱するようであれば、放熱孔を形成することもできる。さらに、上記枠体４０は単にソケット１３の周りに装着するだけであるが、同ソケット１３に対して凹凸嵌合して容易に外れないようにしたり、プリント基板１０と嵌合したりして固定するようなものとすることもできる。枠体４０を金属で形成する場合にはプリント基板１０に半田付け固定しても良い。
【００１６】
次に、上記構成からなる本実施形態の動作を説明する。
プリント基板１０上のソケット１３にＲＯＭ１２を装着し、さらに、その周囲に枠体４０を装着する。この状態で、プリント基板１０を金属製上ケース２１と金属製下ケース２２にて上下から挟み込み、ケーブル１１を長開口２３から引き出しつつ図示しないボルトなどでネジ止めし、封印紙２４にて側面を封印する。この状態では、長開口２３からドライバなどのようなものを差し込んだとしても、枠体４０によって囲まれているＲＯＭ１２の下に押し込むことはできず、ＲＯＭ１２を取り外すことはできない。むろん、このようにして囲まれているため、ＲＯＭ１２自体を取り外したり、書き換えられたＲＯＭ１２に取り替えることもできない。
【００１７】
本実施形態においては、脱着防止機構としてソケット１３の周囲を囲む内径であってプリント基板１０の上面から金属製上ケース２１の天井面との間の長さとした枠体４０を利用しているが、他の形状のもので構成することもできる。例えば、図３に示す制御基板ボックスは、樹脂製の上ケース２５と下ケース２６とからなるケース２０を備えており、上ケース２５の天井面の側からソケット１３の周縁に向けて枠体４０と同形状の筒部４１を延設してある。
【００１８】
かかる構成においても、ＲＯＭ１２を載置したプリント基板１０を上ケース２５と下ケース２６とで挟み込むようにして収容すれば、筒部４１がソケット１３の周囲を取り囲み、ＲＯＭ１２を脱着できないようにすることができる。
本実施形態においては、上ケース２５が樹脂製であるが、金属製上ケース２１の場合も中が見えるように透明の蓋体を備えているのが通常であり、この透明の蓋体にて同様の筒部４１を形成することもできる。
【００１９】
さらに、図４に示すものにおいては、ソケット１３の周縁を上方に筒状に延設せしめた囲み壁１３ａを形成してあり、このソケット１３にＲＯＭ１２を装着すれば、図５に示すように囲み壁１３ａにてＲＯＭ１２の周囲を遮蔽することができる。この場合、上方からはＲＯＭ１２を脱着できるものの、上方は金属製上ケース２１が覆っているので実質的にはＲＯＭ１２の脱着を十分に防止できる。
これまでは、ＲＯＭ１２をいわゆる障壁のようなもので取り囲む構成とすることにより脱着を防止しているが、ＲＯＭ１２のようにソケット１３に対して上方にしか抜けられないようなものであれば、図６及び図７に示すように、樹脂製の上ケース２７の天井面に凸部４２を形成しておいてもよい。このようにすれば、上ケース２７と下ケース２８とで挟み込んだときに同凸部４２がＲＯＭ１２の上面に当接するので、同ＲＯＭ１２を上方に抜き出すことができず、ＲＯＭ１２の脱着を十分に防止できる。すなわち、ＲＯＭ１２を完全に取り囲むのではなく、抜き取り方向に移動できないようなストッパを採用して脱着を防止している。
【００２０】
また、図８及び図９に示すものにおいては、ソケット１３とＲＯＭ１２とをバンド４３で巻き込んでおり、言い換えればＲＯＭ１２を縛り付けるようにして脱着を防止している。
このように、制御プログラムなどを記憶するＲＯＭ１２がソケット１３のようなものを介してプリント基板１０上に脱着可能に載置されている場合において、枠体４０や、筒部４１や、凸部４２およびバンド４３などの脱着防止機構によってケース２０の封印とは別個に同ＲＯＭ１２を脱着できないようにすることにより、ＲＯＭ１２の交換による不正を効果的に防止することができる。
【図面の簡単な説明】
【図１】本発明の一実施形態にかかる制御基板ボックスの分解斜視図である。
【図２】同制御基板ボックスの一部切り欠き側面図である。
【図３】変形例にかかる制御基板ボックスの分解斜視図である。
【図４】脱着防止機構を採用したソケットの斜視図である。
【図５】同ソケットにＲＯＭを装着した状態を示す側面図である。
【図６】変形例にかかる制御基板ボックスの分解斜視図である。
【図７】同制御基板ボックスの一部切り欠き側面図である。
【図８】脱着防止機構として採用したバンドを装着する状態を示す斜視図である。
【図９】同バンドの装着時における斜視図である。
【図１０】従来の制御基板ボックスの斜視図である。
【符号の説明】
１０…プリント基板
１２…ＲＯＭ
１３…ソケット
１３ａ…囲み壁
２０…ケース
２１…金属製上ケース
２２…金属製下ケース
２５…上ケース
２６…下ケース
２７…上ケース
２８…下ケース
４０…枠体
４１…筒部
４２…凸部
４３…バンド
【図１】
0003611149.tif 000002
【図２】
0003611149.tif 000003
【図３】
0003611149.tif 000004
【図４】
0003611149.tif 000005
【図５】
0003611149.tif 000006
【図６】
0003611149.tif 000007
【図７】
0003611149.tif 000008
【図８】
0003611149.tif 000009
【図９】
0003611149.tif 000010
【図１０】
0003611149.tif 000011